(57)【要約】【課題】連結桟の断面形状を左右羽根の回動中心に垂直な角度で構成すると、この角度が、吹き出し口から吹出される吹き出し風の主流と異なる場合、連結桟が通風抵抗となって送風性能を悪化させるという課題があった。【解決手段】連結桟５は、左右羽根４に設けられた連結突起１２を保持する平板状の保持部１５と、保持部１５同士を連結する平棒状の連結部１６とを備え、保持部１５は、左右羽根４の回動中心軸に対して垂直に設けられ、連結部１６は、保持部１５に対して傾斜して設けられたもので、これによって連結桟５は、左右羽根をスムーズに回動させつつ、連結桟５が吹き出し風の通風抵抗となるのをより小さくすることができるため、送風性能を高めることができて、省エネを実現することができる。【選択図】図３
2015169403.tif 000002
【特許請求の範囲】
【請求項１】
空気を吸い込む吸い込み口と、吹き出し口と、前記吹き出し口から吹き出される空気の向きを左右方向に変更する左右羽根と、複数の前記左右羽根を連動させて左右に回動させる連結桟とを備え、
前記連結桟は、前記左右羽根に設けられた連結軸を保持する平板状の保持部と、前記保持部同士を連結する平棒状の連結部とを備え、
前記保持部は、前記左右羽根の回動中心軸に対して垂直に設けられ、
前記連結部は、前記保持部に対して傾斜して設けられたことを特徴とする空気調和機。
【請求項２】
前記連結部は、前記保持部より下流側に設けられたことを特徴とする請求項１に記載の空気調和機。
【請求項３】
前記連結部は、前記保持部同士の間に設けられたことを特徴とする請求項１に記載の空気調和機。
【請求項４】
前記保持部は、上流側に前縁部を備え、
前記前縁部は前記連結部と平行な方向に突出することを特徴とする請求項１〜３のいずれか１項に記載の空気調和機。
【請求項５】
前記連結部は、前記吹き出し口から吹き出される空気の主流に平行な面上に設けられたことを特徴とする請求項１〜４のいずれか１項に記載の空気調和機。
【請求項６】
前記吹き出し口が設けられた送風通路の下面を形成するリアガイダと、前記リアガイダの下流部に対向する面を形成するスタビライザとを備え、
前記連結部は、前記スタビライザの平坦部を含む平面と前記リアガイダの下流端での接平面との交線と、前記保持部の下端とを含む平面上に設けられたことを特徴とする請求項１〜４のいずれか１項に記載の空気調和機。
【請求項７】
前記吹き出し口から吹き出される空気の向きを上下方向に変更する上下羽根を備え、前記連結部は、吹出し風量が最大となる位置にある前記上下羽根の中心軸を含む平面上に設けられるとともに、前記上下羽根の上端部に近接するように設けられたことを特徴とする請求項１〜４のいずれか１項に記載の空気調和機。
【請求項８】
前記吹き出し口から吹き出される空気の向きを上下方向に変更する上下羽根を備え、前記連結部は、吹出し風量が最大となる位置にある前記上下羽根の上面または下面の上流端における接平面上に設けられるとともに、前記上下羽根の上端部に近接するように設けられたことを特徴とする請求項１〜４のいずれか１項に記載の空気調和機。
【請求項９】
前記前縁部の上流側端面は、上流側に突出する曲面で構成されたことを特徴とする請求項４に記載の空気調和機。
【発明の詳細な説明】
【技術分野】
【０００１】
本発明は、送風性能を向上させることのできる左右羽根の連結桟を備えた空気調和機に関するものである。
【背景技術】
【０００２】
従来、空気調和機に設けられた風向変更装置である左右羽根は、左右羽根の回動中心軸に対して、平行に突出する突起（連結突起）を設けて、その連結突起の中心軸に直角に連結棧を設けていた。つまり、連結棧は、左右羽根の回動中心軸に対して直角に設けられていた。
【０００３】
しかし、この構成では、連結棧が風の流れ角度に対して、平行ではなく傾斜を持った角度になるため、風の抵抗となり通風性能を妨げるという課題があった。
【０００４】
この課題を解決するために、連結桟の取付角度を改良した風向変更装置としては図１２に示すようなものがある（例えば、特許文献１参照）。図１２において、左右羽根１０１に連結突起１０２が設けられ、ここに、複数の左右羽根が連動して回動をするために互いを連結する連結桟１０３が取り付けられている。
【０００５】
ここで、連結突起１０２に取り付けられた連結桟１０３の断面形状は、リアガイダ（図示せず）と平行となるように、左右羽根１０１の回動中心である回動中心軸１０４の垂直方向に対して直角ではなく傾斜して設けられている。
【先行技術文献】
【特許文献】
【０００６】
【特許文献１】特開平１０−１４８３４８号公報
【発明の概要】
【発明が解決しようとする課題】
【０００７】
しかしながら前記従来の構成では、連結桟１０３の断面形状の角度が左右羽根１０１の回動中心軸１０４の垂直方向に対して異なる角度となっているため、連結桟１０３が長手方向に動いて左右羽根１０１の羽根角度を左右方向に変えようとする時にスムーズな回動を実現するためには、連結突起１０２と連結桟１０３との締結部分に、比較的大きな一定の勘合隙間（遊び）が必要となる。
【０００８】
そして、この勘合隙間が、風の流れを乱し騒音を発生させたり、風の抵抗となったりして、通風性能を妨げるという課題を有していた。
【０００９】
特に、この通風性能の悪化は、特許文献１のように、連結桟の主要部がリアガイダと平行となるように、左右羽根の回動中心軸と連結突起の中心軸とが成す角度を１５°程度とする場合には、比較的影響が小さいが、連結桟の主要部をさらに傾斜して設ける場合には影響が大きいという課題があった。
【００１０】
本発明は、前記従来の課題を解決するもので、連結桟と左右羽根との勘合隙間が、通風抵抗となって送風性能を悪化させるのを防止するとともに、連結桟が通風抵抗となり通風性能を妨げることのない空気調和機を提供することを目的とする。
【課題を解決するための手段】
【００１１】
前記従来の課題を解決するために、本発明の空気調和機は、吹き出し口から吹き出される空気の向きを左右方向に変更する左右羽根と、複数の前記左右羽根を連動させて左右に回動させる連結桟とを備え、前記連結桟は、前記左右羽根に設けられた連結軸を保持する平板状の保持部と、前記保持部同士を連結する平棒状の連結部とを備え、前記保持部は、前記左右羽根の回動中心軸に対して垂直に設けられ、前記連結部は、前記保持部に対して傾斜して設けられたものである。
【００１２】
これによって連結桟の断面形状は、保持部では左右羽根をスムーズに回動させるために適した角度とし、勘合隙間を大きくする必要がなく、それ以外の連結桟の主要部では、吹き出し口から吹き出される吹き出し風に対して、通風抵抗にならないような角度とすることができ、送風性能をより高めることができる。そして、その結果、送風用ファンモータの入力を低減することが可能となり省エネを実現することができる。
【発明の効果】
【００１３】
本発明の空気調和機の室内機は、左右羽根をスムーズに回動させながら送風性能をより高めることができる。
【図面の簡単な説明】
【００１４】
【図１】本発明の実施の形態１における空気調和機の室内機の断面図
【図２】本発明の実施の形態１における空気調和機の要部拡大断面図
【図３】本発明の実施の形態１における空気調和機の連結桟と左右羽根の分解斜視図
【図４】本発明の実施の形態１における空気調和機の連結桟の断面図
【図５】比較のために説明する空気調和機の要部拡大断面図
【図６】本発明の実施の形態１における空気調和機の要部拡大断面図
【図７】本発明の実施の形態１における空気調和機の連結桟の変形例の斜視図
【図８】本発明の実施の形態１における空気調和機の連結桟と左右羽根の他の変形例の分解斜視図
【図９】本発明の実施の形態１における空気調和機の連結桟の他の変形例の断面図
【図１０】本発明の実施の形態２における空気調和機の要部拡大断面図
【図１１】比較のために説明する空気調和機の要部拡大断面図
【図１２】従来の空気調和機の左右羽根の側面図
【発明を実施するための形態】
【００１５】
第１の発明は、空気を吸い込む吸い込み口と、吹き出し口と、前記吹き出し口から吹き出される空気の向きを左右方向に変更する左右羽根と、複数の前記左右羽根を連動させて左右に回動させる連結桟とを備え、前記連結桟は、前記左右羽根に設けられた連結軸を保持する平板状の保持部と、前記保持部同士を連結する平棒状の連結部とを備え、前記保持部は、前記左右羽根の回動中心軸に対して垂直に設けられ、前記連結部は、前記保持部に対して傾斜して設けられたものである。
【００１６】
これによれば、保持部での連結桟の断面形状は左右羽根の回動中心に対して垂直なので、左右羽根と保持部との勘合隙間を大きくする必要がなく、連結桟が動くことで左右羽根をスムーズに回動させることが可能である。連結桟の主要部である連結部では、吹き出し風に対して、通風抵抗にならないような角度とすることができるので、送風性能をより高めることができる。そして、その結果、送風用ファンモータの入力を低減することが可能となり省エネを実現することができる。
【００１７】
第２の発明は、特に、第１の発明において、前記連結部は、前記保持部より下流側に設けられたもので、保持部で生じた風の流れの乱れを下流側に設けた連結部により整流することができる。また、連結部を吹き出し口の長手方向に直線的に構成できるので連結桟全
体の強度の確保が容易である。
【００１８】
第３の発明は、特に、第１の発明において、前記連結部は、前記保持部同士の間に設けられたもので、連結桟全体の風の流れ方向における長さ（短手方向の長さ）を抑えることができ、通風抵抗をより小さくできる。
【００１９】
第４の発明は、特に、第１〜３のいずれか１つの発明において、前記保持部は、上流側に前縁部を備え、前記前縁部は前記連結部と平行な方向に突出するもので、保持部で生じる通風抵抗を小さくできる。
【００２０】
第５の発明は、特に、第１〜４のいずれか１つの発明において、連結部は、前記吹き出し口から吹き出される空気の主流に平行な面上に設けられたもので、保持部での連結桟の断面形状は左右羽根の回動中心に対して垂直なので、連結桟が動くことで左右羽根をスムーズに回動させることが可能であり、また、連結桟の主要部である連結部での断面形状は吹き出し風の主流に平行な角度なので、連結桟が通風抵抗となるのをより小さくすることができ、送風性能をより高めることができる。
【００２１】
第６の発明は、特に、第１〜４のいずれか１つの発明において、前記吹き出し口が設けられた送風通路の下面を形成するリアガイダと、前記リアガイダの下流部に対向する面を形成するスタビライザとを備え、前記連結部は、前記スタビライザの平坦部を含む平面と前記リアガイダの下流端での接平面との交線と、前記保持部の下端とを含む平面上に設けられたもので、これに基づいて、吹き出し風の主流の通風抵抗をできるだけ小さくするような連結部の断面形状を容易に決定することが可能で、確実に送風性能を高めることができる。
【００２２】
第７の発明は、特に、第１〜４のいずれか１つの発明において、前記吹き出し口から吹き出される空気の向きを上下方向に変更する上下羽根を備え、前記連結部は、吹出し風量が最大となる位置にある前記上下羽根の中心軸を含む平面上に設けられるとともに、前記上下羽根の上端部に近接するように設けられたもので、連結桟が上下羽根の上流部に配置されてその断面形状を上下羽根の主要部と平行としているので、吹き出し風の主流の通風抵抗を小さくできるため、送風性能をより高めることができる。
【００２３】
第８の発明は、特に、第１〜４のいずれか１つの発明において、前記吹き出し口から吹き出される空気の向きを上下方向に変更する上下羽根を備え、前記連結部は、吹出し風量が最大となる位置にある前記上下羽根の上面または下面の上流端における接平面上に設けられるとともに、前記上下羽根の上端部に近接するように設けられたもので、連結桟が上下羽根の上流部に配置されてその断面形状を上下羽根の上流端（前縁）と平行としているので、吹き出し風の主流の通風抵抗を小さくできるため、送風性能をより高めることができる。
【００２４】
第９の発明は、特に、第１４の発明において、前記前縁部の上流側端面は、上流側に突出する曲面で構成されたもので、連結桟の通風抵抗をさらに小さくすることが出来て、送風性能をさらに高めることができる。
【００２５】
以下、本発明の実施の形態について、図面を参照しながら説明する。なお、この実施の形態によって本発明が限定されるものではない。
【００２６】
（実施の形態１）
実施の形態１の空気調和機は、室内機と室外機が冷媒配管及び制御用配線等により互いに接続された、所謂セパレータ型の空気調和機である。室内機と室外機によりヒートポン
プが構成されており、室外機にはコンプレッサが設けられている。実施の形態１の空気調和機における室内機は、室内の壁面に取り付ける壁掛け式室内機である。
【００２７】
図１は、本発明の第１の実施の形態における空気調和機の室内機の概略構成を示す縦断面図である。図１は実施の形態１の空気調和機における空調運転停止時の状態を示している。
【００２８】
図１において、室内機の本体１は、空気を吸い込む吸い込み口２と、熱交換された空気を吹き出す吹き出し口３とを備えている。本体１は、本体１の前面を覆うように構成される前面パネル２１を備えている。本体１の内部には、室内空気に含まれる塵埃を除去するためのフィルタ２２と、取り入れた室内空気を熱交換する熱交換器２３と、吸い込み口２からフィルタ２２を通して取り入れた室内空気を熱交換器２３で熱交換して吹き出し口３から室内に吹き出すための気流を発生させる貫流ファンであるファン６とが設けられている。ファン６は、左右両端のいずれかの回転軸において、送風用ファンモータの回転軸に連結されている（図示せず）。
【００２９】
また、本体１において、ファン６の下流側から吹き出し口３の上流側に至る通風路２４は、ファン６の下流側に配置されて空気の流れを案内するリアガイダ７と、このリアガイダ７に対向して配置されたスタビライザ８と、本体１の両側壁（図示せず）とで形成されている。本実施の形態では、リアガイダ７の下流部分とスタビライザ８の下流部分とによりディフューザが構成されており、ファン６から吹き出し口３への通風路２４における流路断面積が徐々に拡大するよう構成されている。
【００３０】
なお、上述した用語「スタビライザ」は、ファン６の下流近傍に位置し、ファン６の前部付近に発生する渦を安定化させるための湾曲面形状を有する舌部近傍のみを、スタビライザと称することもあるが、ここでは、この舌部の下流側に位置し、ファン６により搬送される空気の圧力回復を担うディフューザの上側を構成する壁部分（平坦部）も含めて「スタビライザ」という。
【００３１】
また、リアガイダ７は、ファン６の外側外周に設けられた曲面部と、曲面部の下流側に位置し、後述するように左右羽根を保持するために設けられた平面部である左右羽根保持面とを備えている。
【００３２】
吹き出し口３には、当該吹き出し口３を開閉するとともに、空気の吹き出し方向を上下方向に変更することができる上下風向変更部である上下羽根９が設けられている。上下羽根９は、上羽根９ａと、この上羽根９ａの下方に設けられた下羽根９ｂとを備えている。上羽根９ａ、下羽根９ｂはそれぞれ、左右両端のいずれかの回転軸において、ステッピングモータ等からなる駆動モータの回転軸に連結されている（図示せず）。そして、この駆動モータの動作により、上羽根９ａ、下羽根９ｂは、それぞれ上下方向に回動する。
【００３３】
また、通風路２４には空気の吹き出し方向を左右に変更することができる左右風向変更部である複数枚の左右羽根４が設けられている。複数枚の左右羽根４は、羽根の動きを連動させる連結桟５により連結されている。
【００３４】
左右羽根４について、図２〜図４を用いてさらに詳しく説明する。図２は、本発明の第１の実施の形態における空気調和機の室内機の吹き出し口付近の要部拡大断面図である。
【００３５】
スタビライザ８の平坦部の上流側、つまり舌部の下方には、複数枚の左右羽根４をそれぞれ取り付けるための複数のスタビライザ突起１０が設けられている。また、リアガイダ７の下流端に位置する左右羽根保持面７１には、複数枚の左右羽根４をそれぞれ取り付け
るための複数のリアガイダ穴１１が設けられている。一方、左右羽根４のそれぞれは、左右羽根４の上端に設けられスタビライザ突起１０を挿入するための穴形状をした回転軸穴１３と、下端に設けられリアガイダ穴１１に挿入するための突起形状をした回転軸突起１４を備えている。そして、複数の左右羽根４は、それぞれ、回転軸穴１３にスタビライザ突起１０を挿入し、リアガイダ穴１１に回転軸突起１４を挿入することで、左右方向に回動可能に設けられている。つまり、回転軸穴１３と回転軸突起１４とを結ぶ直線が、左右羽根４の回動中心軸となる。
【００３６】
図３は、本発明の実施の形態１における空気調和機の連結桟と左右羽根の分解斜視図である。図４は、本発明の実施の形態１における空気調和機の連結桟の保持部における縦断面図である。図３においては、簡単のために、連結桟の一部のみを図示するとともに、左右羽根は１枚のみを図示している。
【００３７】
図３、図４に示すように、複数枚の左右羽根４のそれぞれは、上端に連結桟５と連結される連結軸としての連結突起１２をさらに備えている。連結突起１２は、左右羽根４のそれぞれの回動中心軸より下流側に設けられている。一方、連結桟５には、連結突起１２を挿入するための連結穴１７が設けられている。
【００３８】
また、連結桟５は、左右両端のいずれかにおいて、モータとギア等で構成された駆動装置に連結されている（図示せず）。そして、この駆動装置の動作により、連結桟５を、左右方向に動かすことができる。複数枚の左右羽根４の連結突起１２を、連結桟５の連結穴１７に挿入することで、連結桟５を左右方向に移動させると、連結突起１２を介して、複数枚の左右羽根４のすべてが連動し、回動中心軸を支点に回動する。このため、複数枚の左右羽根４のすべてを同一方向に向けることができる。つまり、連結突起１２の中心軸が、左右羽根４を連結桟５に回転支持させる中心軸となる。なお、本実施の形態においては、左右羽根４の回動中心軸と連結突起１２の中心軸とがなす角度が４０°以上の大きな角度となっている。
【００３９】
連結桟５は、連結穴１７が形成された平板状の保持部１５と、複数の保持部１５を連結する平棒状の連結部１６とを備えている。より具体的には、連結桟５は、吹き出し口３の左右方向（幅方向）に長手方向を有する直線状で平棒状である連結部１６と、連結部１６の上流端（前縁）側に、左右羽根４が設けられた位置に対応して離散的に突出する保持部１５とを備えている。
【００４０】
そして、保持部１５はその主要部の平面が、左右羽根４の回動中心軸に対して垂直となるように構成される一方、連結部１６はその主要部の平面が、保持部１５の主要部の平面に対して傾斜して構成されている。言い換えると、図４に示すように、連結桟５は、保持部１５での断面形状を左右羽根４の回動中心軸に対して垂直に構成される一方、連結桟５の主要部である連結部１６での断面形状は、左右羽根４の回動中心軸に対して垂直ではなく、吹き出し口３から吹き出される風の主流に平行な角度となるように構成されている。
【００４１】
連結突起１２の上端には、左右羽根４の前後方向（左右羽根４の平面と平行な方向）に突出するリブ１２ａが設けられている。一方、連結穴１７には、リブ１２ａが挿入可能なスリット１７ａが設けられている。スリット１７ａは、連結桟５の短手方向に対して、左右羽根４が通常回動する以上の角度で設けられている。
【００４２】
ここで、左右羽根４と連結桟５の取り付け方法と、左右羽根４の通風路２４への取り付け方法について説明する。
【００４３】
左右羽根４と連結桟５の取り付けは、左右羽根４に設けられた連結突起１２を連結桟５
の連結穴１７に挿入して行う。このとき、左右羽根４は通常回動する以上の角度に羽根を回しながらでないと連結穴１７に挿入できないようになっているため、一度、連結突起１２を連結穴１７に挿入すると、左右羽根４は連結桟５から容易には外れない。このため、左右羽根４が回動中に誤って連結桟５から外れてしまうのを防止することが出来る。
【００４４】
複数の左右羽根４を連結桟５に取り付けた後、スタビライザ８とリアガイダ７に取り付けられる。その取り付けは、左右羽根４の回転軸穴１３にスタビライザ８のスタビライザ突起１０を挿入し、リアガイダ７のリアガイダ穴１１に左右羽根４の回転軸突起１４を挿入して行う。
【００４５】
以上のように構成された空気調和機について、以下その動作、作用を説明する。
【００４６】
空気調和機の運転が開始されると、上下羽根９が開動作を行い、吹き出し口３が開放される。そして、ファン６が回転駆動される。ファン６が回転すると吸い込み口２から吸い込まれた空気は、フィルタ２２を通り、熱交換器２３で熱交換されて、ファン６に吸い込まれる。その後、ファン６から吹き出される空気は、スタビライザ８によって安定した風として、リアガイダ７とスタビライザ８の間を通って、吹き出し口３から本体１外側へと吹き出される。
【００４７】
吹き出し口３から吹き出される空気の吹き出し方向は、上下羽根９及び左右羽根４により制御されている。上下羽根９及び左右羽根４の角度調整等の動作は、当該空気調和機を制御する制御装置（図示省略）により制御されている。
【００４８】
上下羽根９は、使用者がリモコン等で設定した運転状態（冷房運転や暖房運転）、吹き出し方向や風量等に応じて、駆動モータの動作により、上下方向に回動する。
【００４９】
上下羽根９は、リアガイダ７の下流側端部（下流端）の吹き出し口３に設けられているため、吹き出し口３から吹き出される空気をスムーズに所望の領域に到達させることができる。特に、下羽根９ｂはリアガイダ７を延長した位置にあり、吹き出し口３からの空気に対して高い整流効果を有するディフューザとしての機能を発揮する。
【００５０】
吹き出し口３から吹き出させる風量を最大とする設定時（最大風量時）では、上羽根９ａは、上羽根９ａの上面、または、下面が、スタビライザ８の平坦部と実質的に平行となるように配置される。また、下羽根９ｂは、下羽根９ｂの上面が、リアガイダ７の左右羽根保持面と、実質的に連続するように直線的に配置される。このときの下羽根９ｂがディフューザとしての機能を最大に発揮している。なお、下羽根９ｂの上面とは、吹き出し口３から吹き出される空気の主流が沿って流れる面である。
【００５１】
左右羽根４は、使用者がリモコン等で設定した吹き出し方向等に応じて、駆動装置の動作により、左右方向に回動する。複数の左右羽根４と連結桟５を締結することで、１枚の左右羽根４が回動すると、連結桟５の働きによって他の左右羽根４が連動して回動し、その回動する角度に応じて吹き出し口３から吹き出される風の向きを左右方向に曲げて吹き出すことが可能となる。
【００５２】
吹き出し口３に向かう風は左右羽根４や連結桟５を通過する。そして、連結桟５は、取付角度によっては、風の抵抗となり通風性能を妨げる恐れがある。ここで、本実施の形態との比較のために、連結桟の主要部を回動中心軸に対して垂直となるように構成した場合について、図５を用いて説明する。図５は、図６に示す本実施の形態との比較のために説明する空気調和機の室内機の吹き出し口付近の要部拡大断面図である。
【００５３】
図５に示すように、連結桟１０３に設けられた穴に連結突起１０２を回転軸として挿入し、連結桟１０３の断面形状が左右羽根１０１の回動中心軸に垂直になるよう構成すれば、連結桟１０３によって左右羽根１０１はスムーズに回動することが可能となる。しかし、連結桟１０３の断面形状は吹き出し口から吹き出される吹き出し風の主流に対して平行とは異なる角度となるため、連結桟１０３が通風抵抗となって送風性能を悪化させてしまう。
【００５４】
具体的には、図５において図中に矢印で示した吹き出し風の主流に対し、連結桟１０３の断面形状は平行になっておらず、連結桟１０３が比較的大きな通風抵抗となって送風性能を悪化させてしまう。
【００５５】
そこで、連結突起１０２を回動中心軸に対して傾斜させ、連結桟１０３の全体の断面形状を吹き出し風の主流に対して平行となるように、取り付けることが考えられる。しかし、その場合には、連結突起１０２の突出量を大きくして、連結突起１０２の上端に設けられた抜け防止のリブと連結桟１０３との間、または、連結桟１０３と左右羽根１０１の上端との間に、比較的大きな勘合隙間（遊び）が必要となる。このような勘合隙間がないと、連結桟１０３が左右に移動した際に、抜け防止のリブや、左右羽根１０１の上端等に連結桟１０３が干渉してしまい、左右羽根１０１のスムーズな回動を行うことができない。
【００５６】
特に、図５に示すように、左右羽根１０１の回動中心軸と連結突起１０２の中心軸とが成す角度が４０°以上と大きい場合には、大きな勘合隙間が必要となり、風の流れを乱し騒音を発生させたり、風の抵抗となったりして、通風性能を妨げてしまう。
【００５７】
しかし、本実施の形態においては、図２〜図３に示すように、連結桟５のうち、連結突起１２が保持される保持部１５の断面形状は、連結突起１２の中心軸に垂直な角度となっていて、それ以外の連結桟５の主要部である連結部１６での断面形状は、吹き出し風の主流に平行な角度となっている。
【００５８】
このため、左右羽根４と連結桟５との間に大きな勘合隙間を設けることなく、左右羽根４はスムーズに回動させることができる。そして、連結桟５の主要部の断面形状は風の主流に平行となっているので、その通風抵抗を小さくすることができ、送風性能をより高めることができる。その結果、送風用ファンモータの入力を低減することが可能となり省エネを実現することができる。
【００５９】
また、連結部１６は、保持部１５の下流側に直線状に設けられているので、保持部１５で生じた風の流れの乱れを連結部１６により整流することができるとともに、連結桟５全体の強度の確保が容易である。
【００６０】
また、図３に示すように、保持部１５は、上流側の端面と両側面とが接する角部に面取りがなされていて、部分的に円弧形状となっているので、通風抵抗をさらに小さくすることができる。
【００６１】
以下、連結部１６の断面形状を主流と平行とするための手法について、図６を用いて説明する。図６は、本発明の第１の実施の形態における空気調和機の室内機の吹き出し口付近の要部拡大断面図である。
【００６２】
連結部１６の断面形状を主流と平行にするためには、図６のように、連結部の角度を、スタビライザ８とリアガイダ７の互いの延長線上の交点から連結桟５の連結部１６を結ぶ線に平行な角度とすることで、吹き出し風の主流に平行な角度とすることが可能となる。
【００６３】
より詳細には、まず、スタビライザ８の平坦部を含む平面と、リアガイダの下流端での接平面となる左右羽根保持面７１を含む平面との交線（図６中のＡ）を求める。次に、交線Ａと、保持部１５の下端とを含む平面（図６中のＢ）を求める。そして、連結部１６の上面、下面または短手方向の中心軸のいずれか１つが平面Ｂ上に含まれるように、連結部１６の角度を決定する。
【００６４】
これによって通風抵抗の小さな連結部１６を一義的に決定することが可能で、確実に通風抵抗を減らして送風性能を向上させることが可能となる。さらに、この手法によれば、リアガイダ７の傾斜だけでなく、スタビライザ８の傾斜についても考慮して、連結部１６の角度を決定しているために、より通風抵抗を減らすことができる。
【００６５】
なお、連結部１６の断面形状を主流と平行とするための別の手法として、連結部１６の上面、下面または短手方向の中心軸のいずれか１つが、上下羽根９が最大風量時に設定される回動角度における上羽根９ａの短手方向の中心軸を含む平面上に含まれるように、連結部１６の角度を決定してもよい。
【００６６】
そして、連結部１６の下流端を上羽根９ａの上流端に近接するように配置することが望ましい。これによれば、連結部１６は、保持部１５の下流側に直線状に設けられているので、保持部１５で生じた風の流れの乱れを連結部１６により整流し、そのまま連続的に上羽根９ａに風を流すことができるので、より通風抵抗を小さくすることができる。
【００６７】
本実施の形態では、連結桟５を左右羽根４の回動中心軸より下流側に設けられているため、連結桟５の連結部１６の下流端を上羽根９ａの上流端に近接させることが容易である。
【００６８】
以下、連結桟５の変形例について、図７〜図９を用いて説明する。図７は、本発明の実施の形態１における空気調和機の連結桟の変形例の斜視図である。図８は、本発明の実施の形態１における空気調和機の連結桟の変形例と左右羽根の分解斜視図である。図９は、図８に示した変形例における連結桟の保持部における縦断面図である。図７、図８においては、簡単のために、連結桟の一部のみを図示している。また、図８においては、左右羽根は１枚のみを図示している。
【００６９】
図７に示す変形例では、連結桟５は、左右羽根４が設けられた位置に対応して離散的に設けられた保持部１５と、保持部１５同士の間に設けられ保持部１５同士を互いに連結する連結部１６とを備えている。そして、保持部１５はその主要部の平面が、左右羽根４の回動中心軸に対して垂直となるように構成される一方、連結部１６はその主要部の平面が、保持部１５の主要部の平面に対して傾斜して構成されている。
【００７０】
このような構成により、連結桟５全体の風の流れ方向における長さ（短手方向の長さ）を抑えることができ、通風抵抗をより小さくできる。
【００７１】
また、図８、図９に示す変形例では、連結桟５は、保持部１５の上流側に前縁部１８が設けていて、この前縁部１８を主流と平行な断面形状としている。つまり、前縁部１８は連結部１６と平行な方向に突出するように設けられている。これにより、さらに通風抵抗を減らして、送風性能を向上させることが出来る。また、図９に示すように、前縁部１８は、上流側の端面と上面および下面とが接する角部に面取りがなされていて、部分的に円弧形状となっているので、通風抵抗をさらに小さくすることができ、送風性能をさらに向上させることが可能となる。
【００７２】
以上のように、室内に設置した際の圧迫感を低減するために高さを抑える一方、省エネ
性の達成のために奥行き方向の長さを拡大した近年の空気調和機の室内機では、吹き出し口３が本体１の下面に開口するため、左右羽根１０１の回動中心軸と連結突起１０２の中心軸とが成す角度が４０°以上と大きくなるが、本実施の形態では、保持部１５での断面形状は左右羽根４の回動中心軸に対して垂直なので、勘合隙間を大きくする必要がなく、連結桟５の主要部である連結部１６では、吹き出し風に対して、通風抵抗にならないような角度とすることができるので、送風性能をより高めることができる。
【００７３】
なお、本実施の形態では、左右羽根４の上端の回転軸穴１３にスタビライザ８のスタビライザ突起１０を挿入し、下端の回転軸突起１４をリアガイダ７のリアガイダ穴１１に挿入するものとしたが、これに限ることなく、例えば、左右羽根４の上端に設けた突起をスタビライザ８に設けた穴に挿入し、下端に設けた穴にリアガイダ７に設けた突起を挿入するような構成でもよい。
【００７４】
また、左右羽根４の回動は、連結桟５に連結された駆動装置により、使用者がリモコン等で設定した方向に、電動で回動させるものとしたが、これに限ることなく、左右羽根４の回動は、使用者が手で左右羽根４または連結桟５をつまんで力を加えることで、任意の角度に回動させるという方法であってもよい。
【００７５】
（実施の形態２）
実施の形態２の空気調和機は、実施の形態１の空気調和機と主要な構成において実質的に同じ構成を有している。以下、実施の形態１と異なる点を説明する。図１０は、本発明の第２の実施の形態における空気調和機の室内機の吹き出し口付近の要部拡大断面図である。
【００７６】
上下風向変更部である上下羽根９は、主羽根９ｃと、この主羽根９ｃの上方に設けられ主羽根９ｃと一体に回動するガイドミニ羽根９ｄを備えている。ガイドミニ羽根９ｄは、主羽根９ｃにより形成される主流に対して保護する気流を発生させる機能を有している。このように、主羽根９ｃの上面にガイドミニ羽根９ｄを設けることにより、主流に対する周りの空気の混合を防止し、主流における流れの減衰が抑制されている。
【００７７】
また、左右羽根４は、下端に設けられた回転軸突起１４をリアガイダ７に設けられたリアガイダ穴１１に挿入されることで、リアガイダ７の下流側に回動可能に保持されている。つまり、回転軸突起１４の中心軸が、左右羽根４の回動中心軸となる。
【００７８】
左右羽根４は、下流側の中央部に切欠き４１が設けられており、この切欠き４１の内部に向かって下方から突出する連結突起１２を備えている。複数枚の左右羽根４は、連結突起１２を介して、連結桟５により連結されている。
【００７９】
連結桟５は、吹き出し口３の左右方向（幅方向）に長手方向を有する直線状で平棒状である連結部１６と、連結部の上流端（前縁）側に、左右羽根４が設けられた位置に対応して離散的に突出する保持部１５とを備えている。保持部１５はその主要部の平面が、左右羽根４の回動中心軸に対して垂直となるように構成される一方、連結部１６はその主要部の平面が、保持部１５の主要部の平面に対して傾斜して構成されている。
【００８０】
連結部１６は、連結部１６の上面、下面または短手方向の中心軸のいずれか１つが、上下羽根９が最大風量時に設定される回動角度における主羽根９ｃの羽根前縁部１９に平行となるように設けられている。つまり、連結部１６の上面、下面または短手方向の中心軸のいずれか１つが、上下羽根９が最大風量時に設定される回動角度における主羽根９ｃの上面または下面の上流端における接平面上に含まれるように設けられている。
【００８１】
そして、連結部１６の下流端を主羽根９ｃの羽根前縁部１９に近接するように配置されている。これによれば、連結部１６を通過した風を、そのまま連続的に主羽根９ｃに流すことができるので、より通風抵抗を小さくすることができる。
【００８２】
連結桟５は、取付角度によっては、風の抵抗となり通風性能を妨げる恐れがある。ここで、本実施の形態との比較のために、連結桟の主要部を回動中心軸に対して垂直となるように構成した場合について、図１１を用いて説明する。図１１は、図１０に示す本実施の形態との比較のために説明する空気調和機の室内機の吹き出し口付近の要部拡大断面図である。
【００８３】
図１１に示すように、連結桟１０３に設けられた穴に連結突起１０２を回動軸として挿入し、連結桟１０３の断面形状が左右羽根１０１の回動中心軸に垂直になるよう構成すれば、連結桟１０３によって左右羽根１０１はスムーズに回動することが可能となる。しかし、連結桟１０３の断面形状は吹き出し口から吹き出される吹き出し風の主流に対して平行とは異なる角度となるため、連結桟１０３が通風抵抗となって送風性能を悪化させてしまう。
【００８４】
具体的には、図１１において、吹き出し風を上下方向に吹き分けるための上下羽根１０５の上流側前縁部分１０６の角度と、連結桟１０３の断面形状は平行となっていないため、連結桟１０３が比較的大きな通風抵抗となって送風性能を悪化させてしまう。
【００８５】
そこで、連結突起１０２を回動中心軸に対して傾斜させ、連結桟１０３の全体の断面形状を吹き出し風の主流に対して平行となるように、取り付けることが考えられる。しかし、その場合には、切欠き４１を大きくして、連結桟１０３が左右に移動した際に、連結桟１０３が左右羽根１０１と干渉することを防止する必要がある。この結果、左右羽根１０１の面積が小さくなり、吹き出し風の左右方向への変更が十分できない恐れがある。
【００８６】
しかし、本実施の形態においては、図１０に示すように、連結部１６の断面形状を主羽根９ｃの羽根前縁部１９に平行とすることで、通風抵抗を小さくできる。または、連結部１６と羽根前縁部１９とを同一平面状に配置することで、通風抵抗を小さくできる。
【００８７】
風は、主羽根９ｃまで到達すると主羽根９ｃの上面ならびに下面に沿って流れるため、風の流れが上面側と下面側に分かれる羽根前縁部１９から上流側のある範囲まででは、そこに何かがあっても通風抵抗となりにくい。このため、羽根前縁部１９のすぐ上流部に位置する連結部１６の断面形状を羽根前縁部１９と同じ角度にしておくと通風抵抗を小さくして送風性能を向上させることが可能となる。
【００８８】
なお、本実施の形態では、連結部１６の下流端を、主羽根９ｃの羽根前縁部１９に近接するように配置しているが、ガイドミニ羽根９ｄの前縁部に近接するように配置してもよい。
【産業上の利用可能性】
【００８９】
以上のように、本発明にかかる空気調和機は、風が左右羽根の連結桟を通過する際の流れに関わるもので、この流れを従来よりも円滑にすることで送風性能の向上できるので、通風路と左右羽根と連結桟を有する空気調和機などの送風関連技術ならびに商品、設備、部品に適用できる。
【符号の説明】
【００９０】
１  本体
２  吸い込み口
３  吹き出し口
４、１０１  左右羽根
５、１０３  連結桟
６  ファン
７  リアガイダ
８  スタビライザ
９、１０５  上下羽根
９ａ  上羽根
９ｂ  下羽根
９ｃ  主羽根
９ｄ  ガイドミニ羽根
１０  スタビライザ突起
１１  リアガイダ穴
１２、１０２  連結突起
１２ａ  リブ
１３  回転軸穴
１４  回転軸突起
１５  保持部
１６  連結部
１７  連結穴
１７ａ  スリット
１８  前縁部
１９  羽根前縁部
２１  前面パネル
２２  フィルタ
２３  熱交換器
２４  通風路
４１  切欠き
７１  左右羽根保持面
【図１】
2015169403.tif 000003
【図２】
2015169403.tif 000004
【図３】
2015169403.tif 000005
【図４】
2015169403.tif 000006
【図５】
2015169403.tif 000007
【図６】
2015169403.tif 000008
【図７】
2015169403.tif 000009
【図８】
2015169403.tif 000010
【図９】
2015169403.tif 000011
【図１０】
2015169403.tif 000012
【図１１】
2015169403.tif 000013
【図１２】
2015169403.tif 000014